(57)【特許請求の範囲】
【請求項１】
エンジン台２０上にエンジンＥを搭載し、該エンジンＥの側部の伝動ケース２２を介して、ミッションケースＭに動力を伝動し、該ミッションケースＭにて変速された動力は、後方下方に向かって突出するロータリーケース２３ｃの下端に横架した耕耘爪軸２６を駆動し、該耕耘爪軸２６の軸上には複数本の耕耘爪３０を植設し、
該ロータリーケース２３ｃには、後方に突設されたロータリーフレーム２７の先端部が固設され、該ロータリーフレーム２７の後端部に、上下位置調節自在にゲージ輪２８を配設し、
前記耕耘爪３０を被覆する耕耘カバー１は、左右中央位置に前後方向の支持杆２を配置し、該支持杆２は正面視コ字状で開口面が下方に向けて開口され、該支持杆２の開口形状を、該ロータリフレーム２７の外形と合わせて形成し、該ロータリフレーム２７の上方より、該支持杆２を嵌合して脱着自在に構成し、
前記ロータリーフレーム２７の上面にネジ孔を開口し、該ネジ孔とを一致させた孔２ａを前記支持杆２の上面に開口し、上方より固定ネジ３を螺装して、支持杆２とロータリフレーム２７とを固定し、
前記耕耘カバー１は、耕耘爪軸２６の長さや作業状況に合わせて選択脱着可能としたことを特徴とする管理機の耕耘カバー。
【発明の詳細な説明】
【０００１】
【産業上の利用分野】
本発明は、管理機において、耕幅に応じて容易に交換可能な耕耘カバーの構造に関する。
【０００２】
【従来の技術】
従来、管理機の耕耘爪を畝幅に対応して交換可能にし、耕耘カバーのサイドカバーを外側に摺動させることで該カバーの幅を広げる事を可能にし、作業に応じた耕幅とする技術は公知となっていた。
更に、耕耘カバーに関して、中央より左右に延出するカバーを、前後方向に耕耘爪軸を中心に回動できる構成や、前記耕耘カバーをロータリーフレーム側部の蝶番を中心にはねあげ調節可能にした構成も公知となっている。
【０００３】
【発明が解決しようとする課題】
しかし、従来の技術で、耕耘カバーを外側に摺動させて左右幅を調整自在にした構成においては、蝶ネジを締め付けることによって耕耘カバーとスライドカバーを固定していたので、作業中に弛むことがあり、また、泥が侵入し易いので、錆易く、ネジ山がつぶれることもあり、月日が過ぎるに従って調整し難くなっていた。
また、耕耘爪を爪軸上の爪ホルダーから外して交換する際には、耕耘カバーや尾輪の間から作業を行うので、作業スペースが狭く、耕耘爪の交換作業に手間がかかっていた。
また、左右のカバーを上方にはね上げる構造を利用して、耕耘爪の交換をする場合には、スペースは少しは広がるが、はね上げ角度には限界があるので、更に、メンテナンス性の優れたもので、尚且つ、耕耘爪の取り替えをした、左右幅に対応する構成の耕耘カバーが望まれていた。
【０００４】
【課題を解決するための手段】
本発明は、以上のような課題を解決するために、次のような手段を用いる。
エンジン台２０上にエンジンＥを搭載し、該エンジンＥの側部の伝動ケース２２を介して、ミッションケースＭに動力を伝動し、該ミッションケースＭにて変速された動力は、後方下方に向かって突出するロータリーケース２３ｃの下端に横架した耕耘爪軸２６を駆動し、該耕耘爪軸２６の軸上には複数本の耕耘爪３０を植設し、該ロータリーケース２３ｃには、後方に突設されたロータリーフレーム２７の先端部が固設され、該ロータリーフレーム２７の後端部に、上下位置調節自在にゲージ輪２８を配設し、前記耕耘爪３０を被覆する耕耘カバー１は、左右中央位置に前後方向の支持杆２を配置し、該支持杆２は正面視コ字状で開口面が下方に向けて開口され、該支持杆２の開口形状を、該ロータリフレーム２７の外形と合わせて形成し、該ロータリフレーム２７の上方より、該支持杆２を嵌合して脱着自在に構成し、前記ロータリーフレーム２７の上面にネジ孔を開口し、該ネジ孔とを一致させた孔２ａを前記支持杆２の上面に開口し、上方より固定ネジ３を螺装して、支持杆２とロータリフレーム２７とを固定し、前記耕耘カバー１は、耕耘爪軸２６の長さや作業状況に合わせて選択脱着可能としたものである。
【０００５】
【作用】
上記のような手段を用いることによって、本発明は、耕耘カバーの支持杆の上面の固定ネジを外すことで、耕耘カバーを容易に脱着することができる。
また、耕耘爪を植設した幅の異なる耕耘爪軸を装着した時に、その幅に合わせた耕耘カバーを選択して取り付けることができる。
【０００６】
【実施例】
本発明の解決すべき課題及び構成は以上の如くであり、次に添付の図面に示した本発明の一実施例を説明する。
図１は本発明を採用した管理機の側面図、
図２は本発明の耕耘カバーを取り外した状態を示す管理機の側面図、
図３は本発明の耕耘カバーの正面部分断面図である。
【０００７】
図１よりロータリ耕耘装置Ｂを備えた管理機Ａの全体構成から説明する。
エンジン台２０上にエンジンＥが搭載されており、該エンジンＥの上部に燃料タンク２１が搭載されている。該エンジンＥの側部の伝動ケース２２を介して、ミッションケースＭに動力が伝動され、該ミッションケースＭにて変速された動力は、該ミッションケースＭより前方下方に向かって突出するチェーンケース２３ｂの、下端部に配置した走行輪２４の車輪２５を走行駆動させている。
また、前記ミッションケースＭより後方下方に向かって突出するロータリーケース２３ｃの下端には耕耘爪軸２６を横架し、該耕耘爪軸２６の軸上には複数本の耕耘爪３０・３０・・・が植設されている。
【０００８】
また、本実施例においては、前記チェーンケース２３ｂとロータリーケース２３ｃは、側面視略「く」字状に屈曲した駆動ケース２３として一体構成となっており、側面視略「く」字状に屈曲する屈曲部２３ａに前記ミッションケースＭを配置している。
そして、前記耕耘爪軸２６は、耕耘幅に合わせて、長さの異なる耕耘爪軸に交換するこができ、また、揚土作業や中耕作業等の他の作業に合った耕耘爪を装着した耕耘爪軸とも交換することができる。
【０００９】
前記ミッションケースＭの上部には、全方向に回動可能にハンドルベース３１が設けられていて、該ハンドルベース３１上端より、ハンドル３２が後方へ突設されている。前記ハンドルベース３１の近傍には主変速レバー３３及び回動レバー３４を突出させている。
また、前記ミッションケースＭにホーク軸３５、耕耘変速ホーク軸３６を横架し、前記主変速レバー３３を操作することで該走行ホーク軸３５、耕耘変速ホーク軸３６を摺動させて前記走行輪２４及び耕耘爪３０・３０・・・を変速駆動させている。
【００１０】
そして、前記ロータリーケース２３ｃには、ロータリーフレーム２７の先端部が固設されて後方に突出し、該ロータリーフレーム２７の後端部には、上下位置調節自在にゲージ輪２８を配設している。
そして、前記耕耘爪３０・３０・・・は、耕耘カバー１により被装されている。該耕耘カバー１の構造は、図２、図３に示すように、前後方向に支持杆２を配設し、該支持杆２の外側には、前後端部をそれぞれ斜め下方に湾曲した形状を有す上カバー６ａ・６ａを付設しており、該上カバー６ａ・６ａの外側にサイドカバー６ｂ・６ｂを設けている。該上カバー６ａ・６ａはヒンジ５・５を介して前記支持杆２側部に連結し、前記ヒンジ５・５の枢結部を支点として、上方向に回動可能とされている。前記支持杆２の上面には、上カバー６ａのはね上げ角度を調節するための高さ調節板９の基部を取付固定している。
【００１１】
前記左右の上カバー６ａ・６ａの上面には、図３に示す如く、枢支部７・７を固着しており、該枢支部７には、スイングアーム８の基端部を枢結し、左右の該スイングアーム８の先端側には、長孔８ａ・８ａを開口している。
該長孔８ａ・８ａは、支持杆２の上方で重合され、そこに調節ツマミ１０のネジ部を嵌挿して前記長孔８ａ・８ａが枢支されている。前記調節ツマミ１０のネジ部は、前記高さ調節板９に開口する長孔９ａに嵌挿されている摺動部材に螺着している。
【００１２】
そして、前記調節ツマミ１０と摺動部材の間にスイングアーム８の長孔８ａ・８ａを挟持して、前記調節ツマミ１０を緩めるこで、摺動部材とともに上下方向に摺動可能になり、左右のサイドカバー６・６を同時に上げ下げして、はね上げ角度の調整を行うことができ、調節ツマミ１０を締め付けることで、その角度に固定することができる。
【００１３】
そして、本発明の耕耘カバー１は、図２に示す如く前記ロータリーフレーム２７に脱着自在にしたものである。該耕耘カバー１の支持杆２を、図３に示すように、正面視コ字状で前記ロータリーフレーム２７の外形と合わせて形成し、コ字状の該支持杆２の開口面を下方に向けて配置し、前記ロータリーフレーム２７の上方より嵌合可能にし、前記支持杆２の上面には前後両端部に孔２ａ・２ａを開口し、前記ロータリーフレーム２７の上面に開口するネジ孔とを一致させて、上方より固定ネジ３・３を挿入し、ロータリーフレーム２７に開口したネジ孔に螺合させることで耕耘カバー１を固定する構成としている。
【００１４】
また、前記上カバー６ａ・６ａと幅が異なり、耕耘爪軸２６の長さに合わせた耕耘カバー（図示せず）や、他の作業状態に合った形状の耕耘カバー（図示せず）を数種類用意して、前述する如く作業状況に合わせて交換して前記耕耘爪軸２６に合う耕耘カバーを選択して、前述する如くロータリーフレーム２７の上方より取付けて、前記固定ネジ３・３を孔２ａ・２ａに挿入し、ロータリーフレーム２７に螺合することで、適切な大きさの耕耘カバーを簡単に挿着することができる。
また、該耕耘カバー１の固定方法は固定ネジ３に限る。また、前記耕耘爪３０・３０・・・及び耕耘カバー１を取り外して、ロータリーフレーム２７に他の作業機を固定して牽引作業をすることもできる。
【００１５】
【発明の効果】
以上のように構成することによって、次のような効果を奏するものである。
本発明は、固定ネジ３の上方からの脱着操作のみで、耕耘カバーを容易に脱着することが可能となって、耕耘カバーを取り外した際には耕耘爪を開放した状態にすることができ、耕耘爪の交換作業や清掃やメンテナンス作業を容易にすることができ、その作業能率を向上することができる。
また、耕耘爪軸の長さを変更したときにも、その長さに合わせて耕耘カバーを選択して容易に変更することができ、また、作業用途に合わせた耕耘カバーとも交換することができ、様々な農耕作業に対応する管理機を提供することができる。
【図面の簡単な説明】
【図１】  本発明を採用した管理機の側面図である。
【図２】  本発明の耕耘カバーを取り外した状態を示す管理機の側面図である。
【図３】  本発明の耕耘カバーの正面部分断面図である。
【符号の説明】
Ａ        管理機
Ｍ        ミッションケース
１        耕耘カバー
２        支持杆
３        固定ボルト
６ａ      上カバー
２３ｃ    ロータリーケース
２７      ロータリフレーム
３０      耕耘爪
【図１】
0003698756.tif 000002
【図２】
0003698756.tif 000003
【図３】
0003698756.tif 000004